(57)【要約】【課題】内部に電子部品が実装されたコネクタ装置の小型化を図ると共に、分割構造とされた分割ハウジング相互間の電気的接続も良好に確保できるコネクタ装置を提供する。【解決手段】コネクタ装置１のコネクタハウジング１１は、互いに合体される複数の分割ハウジング１１ａ、１１ｂからなり、各分割ハウジング１１ａ、１１ｂの内面側に、それぞれ所定の回路パターン１６が形成されると共に電子部品２０が実装される。電装機器のコネクタ部４ａに備えられたオス端子１８の挿入位置に対応した各分割ハウジング１１ａ、１１ｂの互いに対向する対向面に、各回路パターン１６に接続された舌片端子１２ａ、１２ｂが設けられる。コネクタ部４ａに接続された状態で、互いに対向する各舌片端子１２ａ、１２ｂがオス端子１８を介して互いに電気的に接続されることにより、各分割ハウジング１１ａ、１１ｂに形成された各回路パターン１６同士が電気的に接続される。【選択図】図６
2005339869.tif 000002
【特許請求の範囲】
【請求項１】
外部配線と電子機器に備えられたコネクタ部に接続されると共に、内部に電子部品が実装された通信機能付コネクタ装置であって、
通信機能付コネクタ装置のコネクタハウジングは、互いに合体される複数の分割ハウジングからなり、各分割ハウジングの内面側に、それぞれ所定の回路パターンが形成されると共に電子部品が実装され、
前記コネクタ部に備えられたオス端子の挿入位置に対応した前記各分割ハウジングの互いに対向する対向面に、それぞれ前記各回路パターンに接続された接続端子部が設けられ、前記コネクタ部に接続された状態で、互いに対向する両接続端子部が前記オス端子を介して互いに電気的に接続されることにより、各分割ハウジングに形成された前記各回路パターン同士が電気的に接続されることを特徴とする通信機能付コネクタ装置。
【請求項２】
請求項１に記載の通信機能付コネクタ装置であって、
前記互いに対向する両接続端子部のうち少なくともいずれか一方が、弾性を有すると共に他方側に向けて膨出状に配設された舌片端子とされ、前記コネクタ部に対する接続により、前記オス端子に舌片端子が弾接されることを特徴とする通信機能付コネクタ装置。
【請求項３】
請求項１に記載の通信機能付コネクタ装置であって、
前記互いに対向する両接続端子部のうちいずれか一方が、弾性を有すると共に他方側に向けて膨出状に配設された舌片端子とされ、他方の接続端子部が、前記舌片端子に向けて突出する突部表面に配設されていることを特徴とする通信機能付コネクタ装置。
【発明の詳細な説明】
【技術分野】
【０００１】
この発明は、通信用ＩＣ等の電子部品が組み込まれた通信機能付コネクタ装置に関するものである。
【背景技術】
【０００２】
近年、自動車の低燃費性向上、乗員の快適性向上といった機能を充実させる目的で、車両に搭載される負荷やセンサ等の電装機器数は増加する一途にある。
【０００３】
これに伴い、ワイヤーハーネスの回路数も増加しているが、ワイヤーハーネスの配索スペースの制約から、回路数の削減が要求されている。
【０００４】
その方策のひとつとして、信号多重化による信号線の削減がある。これに対応するため、負荷制御等を行う制御回路および通信制御回路を組込んだ通信機能付コネクタ装置を、電子制御装置（ＥＣＵ）、モータ等の各種負荷、センサ等に接続した技術が考えられている。
【０００５】
この種の通信機能付コネクタ装置は、例えば、電子制御装置に接続されると共に、所定の通信ラインを介して他の電子制御装置に接続される。これにより、車内で、複数の電子制御装置による通信ネットワークを構成する。そして、各通信機能付コネクタ装置間で、所定のプロトコル（例えばＣＡＮ等）に従い、データ通信を行う。あるいは、各電装機器に接続されると共に、所定の通信ラインを介して電子制御装置に接続される。そして、電子制御装置と各通信機能付コネクタ装置との間で多重通信を行い、各通信機能付コネクタ装置が、電子制御装置からの制御指令に基づいて各負荷制御を行ったり、また、センサからの出力を受けてこれを電子制御装置に与える構成となっている。
【０００６】
ところで、上記のような通信機能付コネクタ装置では、所定の通信機能を持たせるために、通信用ＩＣ等の電子部品を含む通信回路を組み込んだ上で、従来と同等のコネクタ寸法とすることが望まれており、小型化を図る必要がある。
【０００７】
そのための構成としては、コネクタハウジングの内面側にメッキ等により所定の回路パターンを形成してこれに電子部品を実装し、所定の通信回路を形成する構成が想定される。
【０００８】
この場合に、生産性の観点からすると、コネクタハウジングを２分割構成にし、それぞれの分割ハウジング内面にメッキ等で所定の回路パターンを形成すると共に、電子部品を実装した後、両分割ハウジングを合体させることが好ましい。
【０００９】
この場合、両分割ハウジングの回路パターンを電気的に接続する構成としては、フレキシブルプリント回路基板（ＦＰＣ）やフレキシブルフラットケーブル（ＦＦＣ）等の柔軟性を持つ配線材を用いて接続する構成や、半田付けにより接続する構成等が考えられる。
【００１０】
なお、金属メッキにより所定の回路パターンを形成する技術は、特許文献１に開示されている。
【００１１】
【特許文献１】特開平７−２９４７７７号公報
【発明の開示】
【発明が解決しようとする課題】
【００１２】
しかしながら、ＦＰＣやＦＦＣ等の配線材を用いて接続する構成では、コネクタ装置の大型化を招くことになる。
【００１３】
また、半田付け接続による構成では、該半田付け部分が剥き出しとなるため、他の電気回路等とのショートを招くおそれがある。
【００１４】
そこで、本発明の解決しようとする課題は、このような内部に電子部品が実装された通信機能付コネクタ装置の小型化を図ると共に、分割構造とされた分割ハウジング相互間の電気的接続も良好に確保できる通信機能付コネクタ装置を提供することを目的とする。
【課題を解決するための手段】
【００１５】
上記課題を解決すべく、請求項１に記載の発明によれば、外部配線と電子機器に備えられたコネクタ部に接続されると共に、内部に電子部品が実装された通信機能付コネクタ装置であって、通信機能付コネクタ装置のコネクタハウジングは、互いに合体される複数の分割ハウジングからなり、各分割ハウジングの内面側に、それぞれ所定の回路パターンが形成されると共に電子部品が実装され、前記コネクタ部に備えられたオス端子の挿入位置に対応した前記各分割ハウジングの互いに対向する対向面に、それぞれ前記各回路パターンに接続された接続端子部が設けられ、前記コネクタ部に接続された状態で、互いに対向する両接続端子部が前記オス端子を介して互いに電気的に接続されることにより、各分割ハウジングに形成された前記各回路パターン同士が電気的に接続される点にある。
【００１６】
また、請求項２に記載の発明のように、前記互いに対向する両接続端子部のうち少なくともいずれか一方が、弾性を有すると共に他方側に向けて膨出状に配設された舌片端子とされ、前記コネクタ部に対する接続により、前記オス端子に舌片端子が弾接される構造としてもよい。
【００１７】
さらに、請求項３に記載の発明のように、前記互いに対向する両接続端子部のうちいずれか一方が、弾性を有すると共に他方側に向けて膨出状に配設された舌片端子とされ、他方の接続端子部が、前記舌片端子に向けて突出する突部表面に配設されている構造としてもよい。
【発明の効果】
【００１８】
請求項１に記載の発明によれば、通信機能付コネクタ装置のコネクタハウジングは、互いに合体される複数の分割ハウジングからなり、各分割ハウジングの内面側に、それぞれ所定の回路パターンが形成されると共に電子部品が実装され、電装機器に備えられたコネクタ部に備えられたオス端子の挿入位置に対応した各分割ハウジングの互いに対向する対向面に、それぞれ各回路パターンに接続された接続端子部が設けられ、前記コネクタ部に接続された状態で、互いに対向する両接続端子部が前記オス端子を介して互いに電気的に接続されることにより、各分割ハウジングに形成された各回路パターン同士が電気的に接続される構造とされているため、ＦＦＣ等の配線材を用いることなく回路パターン同士を接続でき、コネクタ装置の小型化を図ることができると共に、必ず必要とされるコネクタ部に対する接続によって、分割構造とされた分割ハウジング相互間の電気的接続も良好に確保できる利点がある。
【００１９】
また、請求項２に記載の発明によれば、互いに対向する両接続端子部のうち少なくともいずれか一方が、弾性を有すると共に他方側に向けて膨出状に配設された舌片端子とされ、前記コネクタ部に対する接続により、前記オス端子に舌片端子が弾接される構造とされており、分割構造とされた分割ハウジング相互間の電気的接続もより良好に確保できる利点がある。
【００２０】
さらに、請求項３に記載の発明によれば、互いに対向する両接続端子部のうちいずれか一方が、弾性を有すると共に他方側に向けて膨出状に配設された舌片端子とされ、他方の接続端子部が、前記舌片端子に向けて突出する突部表面に配設されている構造とされており、分割構造とされた分割ハウジング相互間の電気的接続もより一層、良好に確保できる利点がある。
【発明を実施するための最良の形態】
【００２１】
以下、この発明の実施形態に係る通信機能付コネクタ装置について説明する。
【００２２】
この通信機能付コネクタ装置は、外部配線と電子機器とに接続されるものである。接続先となる電子機器としては、電子制御装置（ＥＣＵ）や、各種アクチュエータやセンサ等の電装機器等が想定される。この通信機能付コネクタ装置の適用例としては、例えば、次の２つの例が考えられる。
【００２３】
図１は通信機能付コネクタ装置の第１適用例に係る車両制御システムを示す図である。
【００２４】
この制御システムは、複数のＥＣＵ（電子制御装置）３間で通信ネットワークを構成した例であり、即ち、接続ケーブル（外部配線）２に、電子機器としてのＥＣＵ３が複数接続されている。通信機能付コネクタ装置１は、各ＥＣＵ３に設けられる図示省略のコネクタ部に嵌合接続された状態で、各ＥＣＵ３と接続ケーブル２との間に介装される。そして、各通信機能付コネクタ装置１に対して通信アドレスが設定されており、各ＥＣＵ３は、各通信機能付コネクタ装置１を介して、ＣＡＮ等の所定のプロトコルに従って多重データ通信を行うようになっている。
【００２５】
図２は通信機能付コネクタ装置の第２適用例に係る車両制御システムを示す図である。
【００２６】
この制御システムは、接続ケーブル（外部配線）２に、電子機器としてのＥＣＵ（電子制御ユニット）３が接続されると共に、各種アクチュエータやセンサ等の複数の電装機器４がバス接続された構造とされている。
【００２７】
即ち、前記通信機能付コネクタ装置１は、電装機器４と接続ケーブル２との間に介装され、電装機器４に設けられるコネクタ部４ａに嵌合状に接続されて、それらの電気的な接続および機械的に着脱自在な固定が行われる。そして、各通信機能付コネクタ装置１に対して通信アドレスが設定されており、各通信機能付コネクタ装置１は、ＥＣＵ３から接続ケーブル２を介して多重化されて与えられる制御信号に基づいて電装機器４を制御し、あるいは、電装機器４側からの諸信号をＥＣＵ３側に与えるようになっている。
【００２８】
図３は、第１の実施形態としての通信機能付コネクタ装置１の分解斜視図、図４および図５は電装機器４の回路基板４ｂに備えられたコネクタ部４ａとこのコネクタ装置１との接続説明図であり、この通信機能付コネクタ装置１はコネクタハウジング１１を備え、コネクタハウジング１１の内部には、電装機器４との接続用の接続端子部１２や、所定の制御回路を構成するための通信用ＩＣ等の電子部品等を収容可能な空間を有するボックス状に形成されている。
【００２９】
そして、本実施形態では、コネクタハウジング１１は、扁平なボックス状に形成されており、その一端部に幅方向に所定間隔を有して複数の接続端子部１２が組み込まれることにより、電装機器４との接続用のコネクタ部１４が形成される。また、コネクタハウジング１１の他端部内に上記接続ケーブル２が導入されると共に、その内部で該接続ケーブル２の各電線が図示省略の圧接端子等に電気的に接続されている。
【００３０】
また、このコネクタハウジング１１は、複数の分割ハウジング１１ａ、１１ｂの合体により構成されている。なお、各分割ハウジング１１ａ、１１ｂの合体形態は、ねじ止めや係合構造等により保持される。
【００３１】
ここでは、コネクタハウジング１１がその扁平方向に沿って上下に２分割されることで、２つの分割ハウジング１１ａ、１１ｂが形成されている。なお、コネクタハウジング１１は、３つ以上に分割される構造であってもよく、上記分割形態に限られない。
【００３２】
そして、各分割ハウジング１１ａ、１１ｂは、絶縁性樹脂のモールド成型品等、絶縁性材料により形成されている。
【００３３】
また、この分割ハウジング１１ａ、１１ｂの各収容凹部１５の内面には、所定の回路パターン１６が形成されており、この所定の回路パターン１６は、例えば、金属メッキ等により形成されている。このように、樹脂等の立体成型品の表面に、導電性の所定の回路パターンを形成した部品は、ＭＩＤ（Molded Interconnect Device：立体成型回路部品）と呼ばれ、上述した金属メッキ等周知の種々の方法により製造できる。
【００３４】
さらに、各分割ハウジング１１ａ、１１ｂの収容凹部１５の内面には、本通信機能付きのコネクタ装置１の諸制御機能を実現するための電子部品（例えば、通信用ＩＣや負荷制御用ＩＣ等）が、その各端子が回路パターン１６に接続されるようにして実装されている。
【００３５】
そして、各分割ハウジング１１ａ、１１ｂに形成される所定の回路パターン１６が適宜電気的に接続されることにより、当該所定の回路パターン１６と上記実装された各電子部品とで、本通信機能付コネクタ装置１の諸制御（例えば、通信制御や負荷制御等）を行うための制御回路部が構成される。
【００３６】
このような通信機能付コネクタ装置１では、分割ハウジング１１ａ、１１ｂの内面に回路パターン１６を形成すると共に電子部品を実装しているため、別途他の実装基板等を組み込む必要がなく、小型化が図られるという利点がある。また、分割ハウジング１１ａ、１１ｂに回路パターン１６を形成すると共に電子部品を実装した後、これらを合体させているため、回路パターン１６の形成や電子部品の実装も容易に行え、生産性に優れるという利点がある。
【００３７】
そして、本実施形態では、次の構成により、各分割ハウジング１１ａ、１１ｂにそれぞれ形成された各回路パターン１６同士が電気的に接続される構造とされている。
【００３８】
即ち、図６や図７にも示されるように、電装機器４のコネクタ部４ａには、いわゆるピン状のオス端子１８が幅方向に所定間隔離隔して所定数備えられており、コネクタハウジング１１のコネクタ部１４が嵌合された際、各オス端子１８がコネクタ部１４内に挿入される構造とされている。
【００３９】
そして、これら各オス端子１８の挿入位置に対応した各分割ハウジング１１ａ、１１ｂの互いに対向する対向面に、それぞれ前記接続端子部１２が設けられた構造とされている。これら互いに対向配置された各接続端子部１２は、適宜幅を有すると共に弾性を有する薄肉板状の金属材、例えば銅合金等から形成され、略Ｖ字状に折り曲げ形成されると共に互いに他方側に向けて膨出状とされた舌片端子１２ａ、１２ｂとされ、各舌片端子１２ａ、１２ｂは各分割ハウジング１１ａ、１１ｂに形成された回路パターン１６の端部に半田付け等により取り付け接続された構造とされている。
【００４０】
また、本実施形態では、図６に示されるように、各分割ハウジング１１ａ、１１ｂが互いに合体された状態では、互いの各舌片端子１２ａ、１２ｂがわずかの間隙を有して対向した状態となっており、電装機器４のコネクタ部４ａにコネクタ接続された際に、図７に示されるように、対向する両舌片端子１２ａ、１２ｂ間にそれらの弾性に抗してオス端子１８が挿入され、オス端子１８に上下両側から各舌片端子１２ａ、１２ｂが弾接されて接続状態とされる構造とされている。
【００４１】
この際、各分割ハウジング１１ａ、１１ｂに形成された各回路パターン１６同士は、両舌片端子１２ａ、１２ｂおよびオス端子１８を介して互いに導通が確保され、ここに、各回路パターン１６同士が電気的に接続される構造とされている。
【００４２】
なお、図６および図７において、２０は通信用ＩＣ等の電子部品で、それぞれの回路パターン１６に接続されている。
【００４３】
このような通信機能付コネクタ装置１は、例えば、次のようにして製造される。
【００４４】
即ち、各分割ハウジング１１ａ、１１ｂをモールド形成等で形成した後、各分割ハウジング１１ａ、１１ｂの内面に金属メッキ等でそれぞれ所定の回路パターン１６を形成し、回路パターン１６の所定位置に各舌片端子１２ａ、１２ｂを半田付けすると共に各電子部品１６を実装する。また、分割ハウジング１１ａ、１１ｂに対して接続ケーブル２の組み込みを行う。そして、両分割ハウジング１１ａ、１１ｂを合体させると、通信機能付コネクタ装置１の組み立てが完了する。
【００４５】
以上のように構成された通信機能付コネクタ装置１によると、各分割ハウジング１１ａ、１１ｂの合体形態で、互いに対向して対の舌片端子１２ａ、１２ｂが配設された状態となり、電装機器４のコネクタ部４ａにコネクタ接続されれば、各舌片端子１２ａ、１２ｂ間にそれぞれ各オス端子１８が挿入され、各オス端子１８を介して互いに対向する各舌片端子１２ａ、１２ｂが電気的に接続され、ここに、各分割ハウジング１１ａ、１１ｂに形成された所定の回路パターン１６同士が電気的に接続されることとなり、ＦＦＣ等の配線材を用いることなく互いの回路パターン１６同士を接続できる。このため、コネクタ装置１の小型化を図ることができる。
【００４６】
また、必ず必要とされる電装機器４のコネクタ部４ａに対する接続によって、分割構造とされた分割ハウジング１１ａ、１１ｂそれぞれに形成された回路パターン１６相互間の電気的接続を得る方式としているため、電気的接続が良好に確保できると共に、両舌片端子１２ａ、１２ｂに挿入されるコネクタ部４ａのオス端子１８により電気的接続を得る方式であるため、背景技術に開示のような半田付け接続による接続部分が外部に剥き出しとなるような構造も防止できる。
【００４７】
さらに、オス端子１８を介して両分割ハウジング１１ａ、１１ｂの各回路パターン１６が電気的に接続される構造であるため、両分割ハウジング１１ａ、１１ｂの合体により、両舌片端子１２ａ、１２ｂが対向状に配置される構造とするだけでよく、コネクタ装置１自体の構造の簡素化も図ることができる。
【００４８】
また、互いに対向する舌片端子１２ａ、１２ｂは、それぞれ弾性変形自在とされており、挿入されたオス端子１８に弾接する構造とされているため、オス端子１８に対する接触状態が安定して確保でき、ここに、分割構造とされた分割ハウジング１１ａ、１１ｂの各回路パターン１６相互間の電気的接続もより一層、良好に確保できる利点がある。
【００４９】
図８および図９は第２の実施形態を示しており、上記第１の実施形態と同様構成部分は同一符号を付し、その説明を省略する。
【００５０】
即ち、本実施形態においては、例えば、上側の分割ハウジング１１ａに配設された舌片端子１２ａに対向する下側の分割ハウジング１１ｂの対向面に、舌片端子１２ａに向けて断面山状に突出する突部１１ｃが一体形成され、その突部１１ｃの上端面に至って接続端子部１２ｃが設けられた構造とされている。
【００５１】
そして、本実施形態によれば、接続端子部１２ｃは前記回路パターン１６と同様に、金属メッキで形成され、回路パターン１６と連続状に形成された構造とされている。
【００５２】
従って、本実施形態の通信機能付コネクタ装置１によっても、第１の実施形態と同様、電装機器４のコネクタ部４ａにコネクタ接続されれば、各舌片端子１２ａと接続端子部１２ｃ間にそれぞれ各オス端子１８が挿入され、各オス端子１８を介して互いに対向する各舌片端子１２ａと接続端子部１２ｃとが電気的に接続され、ここに、各分割ハウジング１１ａ、１１ｂに形成された所定の回路パターン１６同士が電気的に接続されることとなり、コネクタ装置１の小型化を図ることができると共に、電気的接続が良好に確保でき、コネクタ装置１自体の構造の簡素化も図ることができる。
【００５３】
また、互いに対向する一方の舌片端子１２ａは弾性変形自在とされ、他方の接続端子部１２ｃは舌片端子１２ａに向けて突出する突部１１ｃ表面に配設された構造とされているため、この場合も第１の実施形態と同様、オス端子１８に対する接触状態が安定して確保でき、ここに、分割構造とされた分割ハウジング１１ａ、１１ｂの各回路パターン１６相互間の電気的接続もより一層、良好に確保できる利点がある。
【００５４】
さらに、本実施形態においては、接続端子部１２ｃを回路パターン１６の形成と同様にして連続状に形成でき、別途、舌片端子１２ｂを設置する必要がなく、舌片端子１２ａの設置数削減が図れる利点もある。
【００５５】
図１０および図１１は、上下の各分割ハウジング１１ａ、１１ｂにおける各回路パターン１６において、上下間の電気的接続が不要で、片方の回路パターン１６のみに信号を送受したい場合の構造を示している。
【００５６】
即ち、図１０においては、回路パターン１６の形成時に、回路パターン１６が切断状態で形成した構造とされ、図１１においては、突部１１ｃ表面に対して接続端子部１２ｃを形成しない構造とされている。
【００５７】
このように回路パターン１６の途中を切断した構造や突部１１ｃ表面に接続端子部１２ｃを形成しない構造とすることによって、必要な回路パターン１６のみに電気的接続を得る構造とすることが容易に提供できる。
【００５８】
なお、この場合、下側の分割ハウジング１１ｂにおける回路パターン１６の電気的接続が不要な構造を示しているが、上側の分割ハウジング１１ａの回路パターン１６の電気的接続が不要な場合であっても同様に適用できる。
【図面の簡単な説明】
【００５９】
【図１】この発明の実施形態に係る通信機能付コネクタ装置の第１適用例を示すシステム構成図である。
【図２】この発明の実施形態に係る通信機能付コネクタ装置の第２適用例を示すシステム構成図である。
【図３】この発明の第１の実施形態にかかる通信機能付コネクタ装置におけるコネクタハウジングの分解斜視図である。
【図４】同コネクタ装置と電装機器のコネクタ部との接続説明図である。
【図５】同コネクタ装置と電装機器のコネクタ部との接続説明図である。
【図６】同コネクタ装置と電装機器のコネクタ部との要部断面接続説明図である。
【図７】同コネクタ装置と電装機器のコネクタ部との要部断面接続説明図である。
【図８】第２の実施形態にかかるコネクタ装置と電装機器のコネクタ部との要部断面接続説明図である。
【図９】同コネクタ装置と電装機器のコネクタ部との要部断面接続説明図である。
【図１０】電気的接続不要部分の一例を示す要部断面説明図である。
【図１１】電気的接続不要部分の別の例を示す要部断面説明図である。
【符号の説明】
【００６０】
１  通信機能付コネクタ装置
２  接続ケーブル
３  ＥＣＵ
４  電装機器
４ａ  コネクタ部
１１  コネクタハウジング
１１ａ  分割ハウジング
１１ｂ  分割ハウジング
１１ｃ  突部
１２  接続端子部
１２ａ  舌片端子
１２ｂ  舌片端子
１２ｃ  接続端子部
１６  回路パターン
１８  オス端子
２０  電子部品
【図１】
2005339869.tif 000003
【図２】
2005339869.tif 000004
【図３】
2005339869.tif 000005
【図４】
2005339869.tif 000006
【図５】
2005339869.tif 000007
【図６】
2005339869.tif 000008
【図７】
2005339869.tif 000009
【図８】
2005339869.tif 000010
【図９】
2005339869.tif 000011
【図１０】
2005339869.tif 000012
【図１１】
2005339869.tif 000013